(57)【特許請求の範囲】
【請求項１】
第１ケースと第２ケースとをスライド嵌合により重ね合わせ、これら両ケースの内部に遊技の制御を行う制御基板を収納すると共に、両ケースをかしめ部材で封印する遊技機の基板ケースにおいて、
前記第１ケースに形成された第１被覆部と前記第２ケースに形成された第２被覆部とにより囲まれる内部空間に、識別情報が記憶されたＩＣタグを内蔵した封印シールを貼り付けたシール貼付ユニットを配置し、その後に前記第１ケースと前記第２ケースとをスライド嵌合により重ね合わせることで、前記シール貼付ユニットは、前記封印シールが切断されることなく前記内部空間に収容され、
前記シール貼付ユニットを、
前記封印シールが外面に貼り付けられるケース本体と、このケース本体に出没自在であって、常態では当該ケース本体内に没入した状態で収納されるカッター部材とを有して成る構成とし、
前記第１ケースと前記第２ケースとを分解する際に、前記第１ケースと前記第２ケースとを相対的にスライドさせると、そのスライド動作に伴って、前記カッター部材が前記ケース本体から突出することにより、前記カッター部材が前記封印シールを切断する構成とした
ことを特徴とする遊技機の基板ケース。
【請求項２】
請求項１の記載において、
前記カッター部材は、前記封印シールを切断するための刃部と、可撓性材料から成り、外方に張り出すように設けられた爪部材とを有し、
前記ケース本体には、前記刃部が出没するためのスリットと、前記爪部材が入り込むための係止孔とが設けられ、
前記封印シールは、前記スリットを覆うようにして貼り付けられており、
前記カッター部材が前記ケース本体に収納された状態において、前記爪部材は、前記係止孔内における移動が許容され、かつ、少なくとも一部が前記係止孔から突出した状態で、前記係止孔に入り込んでおり、
前記第１ケースには、前記係止孔から突出している前記爪部材を引っ掛けるための引っ掛け部が設けられ、
前記第１ケースを前記第２ケースから分離させる方向にスライドさせると、前記爪部材が前記引っ掛け部に引っ掛けられて前記係止孔内を移動することにより、前記刃部が前記スリットから突出し、
前記係止孔内を移動した前記爪部材が当該係止孔の縁部と当接し、そこからさらに前記第１ケースを前記第２ケースから分離させる方向へスライドさせると、前記爪部材は、前記引っ掛け部に引っ掛けられたまま前記係止孔の縁部と当接しながら変形して前記係止孔の内部に没入していき、
前記爪部材が前記係止孔の内部に完全に没入すると、前記爪部材と前記引っ掛かり部との引っ掛かりは解除され、そこからさらに前記第１ケースを前記第２ケースから分離させる方向へスライドさせると、前記第１ケースが前記第２ケースから分離する構成とした
ことを特徴とする遊技機の基板ケース。
【請求項３】
請求項２の記載において、
前記シール貼付ユニットは、前記カッター部材を前記ケース本体に没入する方向に常時付勢するバネを有し、
前記第１ケースを前記第２ケースから分離させる方向にスライドさせると、前記刃部は、前記バネの付勢力に抗して前記スリットから突出し、
前記爪部材と前記引っ掛かり部との引っ掛かりが解除されると、前記刃部は前記バネの付勢力によって前記スリット内に没入する構成とした
ことを特徴とする遊技機の基板ケース。
【発明の詳細な説明】
【技術分野】
【０００１】
本発明は、パチンコ機やスロットマシン等の遊技機に備えられる基板ケースに係り、特に、ＩＣタグ付きの封印シールを貼り付けて不正行為を防止するようにした遊技機の基板ケースに関するものである。
【背景技術】
【０００２】
パチンコ機やスロットマシン等の遊技機には遊技の制御を行う種々の制御基板が設けられており、通常、この制御基板は上ケースと下ケースとからなる基板ケース内に収納されて遊技機の裏面や筐体内部に着脱可能に取り付けられている。このような基板ケースは、制御基板に対する不正行為（例えば、遊技の主制御を行うためのプログラムが記憶された正規ＲＯＭを不正なプログラムが記憶された不正ＲＯＭに交換する行為や、所謂ぶら下がり基板と称する不正基板を制御基板に電気的に接続して正規の動作を妨げるようにする行為など）を防止するために、アンカーリベットやワンウェイネジ等の封印部材（かしめ部材）を用いて封印されており、この封印部材の一部を破壊しない限り封印状態を解除できないようになっている。
【０００３】
また、近年では、識別情報が格納されたＩＣタグが付いたＩＣタグ封印シール（封印シール）を上ケース（第１ケース）と下ケース（第２ケース）とに跨るように貼り付けておき、不正にＩＣタグ封印シールを剥がそうとすると、ＩＣタグ封印シールが破損してリーダー機による識別情報の読み取りを不可能とすることにより、不正行為がなされたことを発見できるようにした技術が知られている（特許文献１参照）。
【０００４】
ところが、不正行為を行う手口は日を追うごとに巧妙になってきており、ＩＣタグ封印シールを破損しないように剥がしてから基板ケースを開封し、基板ケース内に収納された制御基板の正規ＲＯＭを不正ＲＯＭに交換した後、再びＩＣタグ封印シールを貼り直すといった不正行為が行われるようになってきている。このような不正行為が行われると、ＩＣタグ封印シール自体は破損していないため、リーダー機で読み取った識別情報は正規のものとなり、リーダー機では不正行為を発見することができなくなる。しかも、ＩＣタグ封印シールが痕跡を残さずに上手に剥がされていると、目視確認によっても不正行為を発見することができず、遊技場（ホール）が被る被害が甚大なものとなっていた。
【０００５】
このような事態に対処すべく、最近では、例えば特許文献２に記載のように、基板ケースを開封すると、ＩＣタグ封印シールが確実に切断されるような構成のものが考案されている。この特許文献２に記載の基板保護ケース（基板ケース）は、ＲＯＭを搭載した制御基板を間に挟んだ状態で内部に収容する透明な樹脂製の２つのケース片（第１ケース、第２ケース）と、両ケース片の端縁間に挟まれて保持される切断部材（カッター部材）と、封印シールを接着した基板保護ケースの突き合わせ部に対して着脱自在に装着されるキャップと、を備えて構成されている。
【０００６】
そして、特許文献２の基板保護ケースを封印するには、まず、切断部材を指で掴んで、突き合わせ部に押し込むようにして取り付けた後、この突き合わせ部に跨るようにして封印シールを接着する。そして、突き合わせ部を覆うようにキャップを装着する。そうすると切断部材はキャップと係合して一体化する。その後、カシメピンを用いて上下のケースをかしめ固定する。こうして基板保護ケースが封印される。この封印状態において、キャップを引っ張って突き合わせ部からに離脱させると、切断部材の先端に形成されたギザギザ状の刃部が封印シールを破断させながら、切断部材はキャップと一体的に離脱する。このようにして、確実に封印シールを切断するようにしている。
【先行技術文献】
【特許文献】
【０００７】
【特許文献１】特開２００９−２６１６４０号公報
【特許文献２】特開２０１０−１６７１２４号公報
【発明の概要】
【発明が解決しようとする課題】
【０００８】
しかしながら、特許文献２の構成では、基板保護ケースの封印を開封するための手順として、キャップを引っ張って封印シールを破断させ、次いで、カシメピンを除去し、最後に両ケースを分解するという順序を踏まなければならない。そのため、特許文献２には、基板保護ケースの開封作業に手間が掛かるといった課題がある。加えて、特許文献２は、基板保護ケースを封印する際に、作業者が切断部材を指で掴んで所定の位置に取り付けなければならず、切断部材の鋭利な部分で作業者が手指を怪我する可能性がある。また、基板保護ケースの封印を開封する際に、作業者がキャップを取り外すと、切断部材が一緒に引っ張られて出てくるため、その引っ張り出された切断部材の鋭利な部分で作業者が手指を怪我する可能性がある。このように、特許文献２に記載の技術では、封印シールを確実に切断することはできるものの、安全性の面において、まだまだ改良の余地は残されている。
【０００９】
本発明は、上記した実情に鑑みてなされたものであり、その目的は、開封の手間を省くことができるだけでなく、開封したことを確実に発見できるうえ、安全性の面にも十分配慮した遊技機の基板ケースを提供することにある。
【課題を解決するための手段】
【００１０】
上記の目的を達成するために、本発明は、第１ケースと第２ケースとをスライド嵌合により重ね合わせ、これら両ケースの内部に遊技の制御を行う制御基板を収納すると共に、両ケースをかしめ部材で封印する遊技機の基板ケースにおいて、前記第１ケースに形成された第１被覆部と前記第２ケースに形成された第２被覆部とにより囲まれる内部空間に、識別情報が記憶されたＩＣタグを内蔵した封印シールを貼り付けたシール貼付ユニットを配置し、その後に前記第１ケースと前記第２ケースとをスライド嵌合により重ね合わせることで、前記シール貼付ユニットは、前記封印シールが切断されることなく前記内部空間に収容され、前記シール貼付ユニットを、前記封印シールが外面に貼り付けられるケース本体と、このケース本体に出没自在であって、常態では当該ケース本体内に没入した状態で収納されるカッター部材とを有して成る構成とし、前記第１ケースと前記第２ケースとを分解する際に、前記第１ケースと前記第２ケースとを相対的にスライドさせると、そのスライド動作に伴って、前記カッター部材が前記ケース本体から突出することにより、前記カッター部材が前記封印シールを切断する構成としたことを特徴としている。
【００１１】
本発明は、第１ケースに形成された第１被覆部と第２ケースに形成された第２被覆部とにより囲まれる内部空間にシール貼付ユニットを配置しているので、シール貼付ユニットに貼り付けられた封印シールは、第１被覆部と第２被覆部とにより保護されており、外部から当該封印シールが剥がされることはない。よって、第１ケースと第２ケースとが封印された状態では、リーダー機をシール貼付ユニットに近づけることにより、ＩＣタグに記憶されている識別情報を読み取ることができる。
【００１２】
そして、本発明は、封印を開封して第１ケースと第２ケースとを相対的にスライドさせると、その動作に伴って、カッター部材がケース本体から突出して封印シールを切断する構成となっている。つまり、両ケースを分解して内部に収納されている制御基板を不正に交換しようとすれば、必ず封印シールが切断される構造となっているのである。そして、カッター部材が封印シールを切断すると、その封印シールに内蔵されているＩＣタグが破壊されてしまう。そのため、リーダー機によってＩＣタグ情報が読み取れなくなる。このように、本発明によれば、封印シールの破断の有無で基板ケースの開封痕を確認できる。そして、仮に外観が未開封の如き状態になっていたとしても、リーダー機を用いてＩＣタグの情報を読み取れるか否かを確認すれば、基板ケースが不正に開封されたか否かを容易に発見することができる。加えて、両ケースを相対的にスライド動作すれば、その動作に伴って封印シールは切断されるため、従来に比べて基板ケースを開封する際の手間を軽減することができる。
【００１３】
また、本発明において、カッター部材は、常態ではシール貼付ユニットのケース本体内に没入した状態で収納される構成となっているため、シール貼付ユニットを取り付ける際、あるいは、取り外す際に、作業者の手指がカッター部材に触れて怪我をするといった心配が少ない。つまり、本発明は、安全面にも十分配慮した構成となっているのである。
【００１４】
なお、本発明は、第１ケースと第２ケースとの封印を開封するためには、かしめ部材を破壊しなければならないため、その破壊された痕跡を目視確認することで、基板ケースが開封されたことを容易に発見することができることは言うまでもない。
【００１５】
このように、本発明によれば、かしめ部材を破壊した痕跡を目視により確認することと、ＩＣタグの識別情報をリーダー機により確認することの２重の確認方法により、基板ケースの開封を確実に発見でき、しかも、取り扱いの安全性にも優れたものとなる。そして、当該ケースの開封作業も簡素化されて、使い勝手の良いものとなる。
【００１６】
なお、本発明における「かしめ部材」は、第１ケースと第２ケースとをいったん封印すると、破壊によらなければその封印を解除することができない構成全てを含む概念のものであり、例えば、一方向にしか回転させることができない構造のネジや、いったん所定の位置までねじ込むと、緩める方向に回転させても空回りして取り外すことができない構造のネジなどは、いったん両ケースを封印するとネジを取り外すことができず、破壊によらなければ両ケースの封印を解除することができないから、本発明のかしめ部材に該当する。
【００１７】
また、上記構成において、前記カッター部材は、前記封印シールを切断するための刃部と、可撓性材料から成り、外方に張り出すように設けられた爪部材とを有し、前記ケース本体には、前記刃部が出没するためのスリットと、前記爪部材が入り込むための係止孔とが設けられ、前記封印シールは、前記スリットを覆うようにして貼り付けられており、前記カッター部材が前記ケース本体に収納された状態において、前記爪部材は、前記係止孔内における移動が許容され、かつ、少なくとも一部が前記係止孔から突出した状態で、前記係止孔に入り込んでおり、前記第１ケースには、前記係止孔から突出している前記爪部材を引っ掛けるための引っ掛け部が設けられ、前記第１ケースを前記第２ケースから分離させる方向にスライドさせると、前記爪部材が前記引っ掛け部に引っ掛けられて前記係止孔内を移動することにより、前記刃部が前記スリットから突出し、前記係止孔内を移動した前記爪部材が当該係止孔の縁部と当接し、そこからさらに前記第１ケースを前記第２ケースから分離させる方向へスライドさせると、前記爪部材は、前記引っ掛け部に引っ掛けられたまま前記係止孔の縁部と当接しながら変形して前記係止孔の内部に没入していき、前記爪部材が前記係止孔の内部に完全に没入すると、前記爪部材と前記引っ掛かり部との引っ掛かりは解除され、そこからさらに前記第１ケースを前記第２ケースから分離させる方向へスライドさせると、前記第１ケースが前記第２ケースから分離する構成とするのが好ましい。
【００１８】
このように構成すると、第１ケースを第２ケースから分離させていく途中で、カッター部材の刃部が確実に封印シールを切断することができる。そして、第１ケースが第２ケースから完全に分離するときには、カッター部材の刃部は確実にスリット内に没入しているから、シール貼付ユニットを取り出す際に、作業者の手指がカッター部材の刃部に接触して怪我するといった心配はない。つまり、上記構成によれば、取り扱いの利便性と安全性の両方を向上させることができる。
【００１９】
また、上記構成において、前記シール貼付ユニットは、前記カッター部材を前記ケース本体に没入する方向に常時付勢するバネを有し、前記第１ケースを前記第２ケースから分離させる方向にスライドさせると、前記刃部は、前記バネの付勢力に抗して前記スリットから突出し、前記爪部材と前記引っ掛かり部との引っ掛かりが解除されると、前記刃部は前記バネの付勢力によって前記スリット内に没入する構成とするのが好ましい。
【００２０】
さらに、本発明では、カッター部材がバネによってケース本体に没入する方向に常時付勢された状態でケース本体内に収納されてから、シール貼付ユニットを取り付ける際、あるいは、取り外す際の安全性がより一層向上する。
【図面の簡単な説明】
【００２１】
【図１】本発明の実施の形態例に係る基板ケースが取り付けられたパチンコ機の外観斜視図である。
【図２】図１に示すパチンコ機のガラス扉を開けた状態の外観斜視図である。
【図３】図１に示すパチンコ機の背面図である。
【図４】本発明の第１の実施の形態例に係る基板ケースの外観斜視図である。
【図５】図４に示す基板ケースの正面図である。
【図６】図５に示す基板ケースの右側面図である。
【図７】図５のＡ−Ａ断面図である。
【図８】図５のＢ−Ｂ断面図である。
【図９】図６のＣ−Ｃ断面図である。
【図１０】図４に示す基板ケースに内装されるＩＣタグユニットの分解斜視図である。
【図１１】図１０に示すＩＣタグユニットを組み立てた状態における、（ａ）は正面図、（ｂ）は（ａ）の左側面図、（ｃ）は（ａ）の正面図である。
【図１２】図１１（ｃ）のＤ−Ｄ断面図である。
【図１３】本発明の第１の実施の形態例に係る基板ケースを組み立てて封印するまでの手順（その１）を示す図である。
【図１４】本発明の第１の実施の形態例に係る基板ケースを組み立てて封印するまでの手順（その２）を示す図である。
【図１５】図１４にてＩＣタグユニットを下側タグカバーに取り付けた状態の詳細を示した部分拡大図である。
【図１６】図１５のＦ−Ｆ断面図である。
【図１７】本発明の第１の実施の形態例に係る基板ケースを組み立てて封印するまでの手順（その３）を示す図である。
【図１８】本発明の第１の実施の形態例に係る基板ケースを組み立てて封印するまでの手順（その４）を示す図である。
【図１９】本発明の第１の実施の形態例に係る基板ケースの封印を開封して分解するまでの手順（その１）を示す図である。
【図２０】本発明の第１の実施の形態例に係る基板ケースの封印を開封して分解するまでの過程で行われる封印シールの切断の詳細を説明するための図である。
【図２１】本発明の第１の実施の形態例に係る基板ケースの封印を開封して分解するまでの過程で行われる封印シールの切断の詳細を説明するための図である。
【図２２】本発明の第１の実施の形態例に係る基板ケースの封印を開封して分解するまでの手順（その２）を示す図である。
【図２３】本発明の第２の実施の形態例に係る基板ケースの外観斜視図である。
【図２４】図２３に示す基板ケースの正面図である。
【図２５】図２４に示す基板ケースの右側面図である。
【図２６】図２４のＡ１−Ａ１断面図である。
【図２７】図２４のＢ１−Ｂ１断面図である。
【図２８】図２５のＣ１−Ｃ１断面図である。
【図２９】図２３に示す基板ケースに内装されるＩＣタグユニットの分解斜視図である。
【図３０】図２９に示すＩＣタグユニットを組み立てた状態における、（ａ）は正面図、（ｂ）は（ａ）の左側面図、（ｃ）は（ａ）の正面図である。
【図３１】図３０（ｃ）のＤ１−Ｄ１断面図である。
【図３２】本発明の第２の実施の形態例に係る基板ケースを組み立てて封印するまでの手順（その１）を示す図である。
【図３３】本発明の第２の実施の形態例に係る基板ケースを組み立てて封印するまでの手順（その２）を示す図である。
【図３４】図３３にてＩＣタグユニットを下側タグカバーに取り付けた状態の詳細を示した部分拡大図である。
【図３５】図３４のＦ１−Ｆ１断面図である。
【図３６】本発明の第２の実施の形態例に係る基板ケースを組み立てて封印するまでの手順（その３）を示す図である。
【図３７】本発明の第２の実施の形態例に係る基板ケースを組み立てて封印するまでの手順（その４）を示す図である。
【図３８】本発明の第２の実施の形態例に係る基板ケースの封印を開封して分解するまでの手順（その１）を示す図である。
【図３９】本発明の第２の実施の形態例に係る基板ケースの封印を開封して分解するまでの過程で行われる封印シールの切断の詳細を説明するための図である。
【図４０】本発明の第２の実施の形態例に係る基板ケースの封印を開封して分解するまでの過程で行われる封印シールの切断の詳細を説明するための図である。
【図４１】本発明の第２の実施の形態例に係る基板ケースの封印を開封して分解するまでの手順（その２）を示す図である。
【発明を実施するための形態】
【００２２】
発明の実施の形態について図面を参照して説明すると、図１と図２に示すように、本実施形態例に係る基板ケースを備えたパチンコ機（遊技機）Ｐは、遊技場の島設備に設置される縦長方形状の機枠１と、機枠１に扉状に開閉自在に取り付けられた本体枠２と、本体枠２の内側に収容された遊技盤３と、本体枠２の前面に扉状に開閉自在に取り付けられ、中央に大きく開口部８が形成されたガラス扉４と、このガラス扉４の開口部８に取り付けられた透明なガラス板１０と、本体枠２の下側に開閉自在に配設され、遊技球を収容する受皿５を有する前面ボード６と、本体枠２の下部に設けられた発射装置９と、前面ボード６に取り付けられ、パチンコ球の発射強度を調整するハンドル７等を具備している。さらに、ガラス扉４の上部にはスピーカ２０が左右に１個ずつ取り付けられており、遊技に関する様々な効果音を発するようになっている。また、受皿５の側部には、遊技者が押下操作するタッチボタン６０が設けられている。
【００２３】
遊技盤３はその盤面（前面）に遊技領域３１を有しており、遊技者はガラス板１０を通して遊技領域３１を目視できるようになっている。遊技領域３１はガイドレール３２と遊技球規制レール３３によって略円形状に区画形成されており、発射装置９によって打ち出された遊技球はこの遊技領域３１内を流下する。また、遊技領域３１内には、特別図柄表示装置１７、演出表示装置３４、スルーチャッカ２１、普通図柄表示装置２２、電動チューリップ４９、ステージ３６、第１始動入賞口（始動口）３７ａ、第２始動入賞口（始動口）３７ｂ、一般入賞口３８、アウト口３９と遊技釘（図示せず）、風車（図示せず）、アタッカー装置４１等が設けられている。なお、遊技盤３に設けられたこれらの構成は公知であるため、各構成の詳しい説明は省略する。
【００２４】
図３に示すように、このパチンコ機Ｐの背面側には、主制御処理部１１と、副制御処理部を構成する演出制御処理部１２ａ、特別図柄表示制御部１２ｂ、ランプ制御処理部１２ｃ、払出制御処理部１２ｅ、および普通図柄表示制御部１２ｆと、発射制御処理部１３と、賞球払出装置１４等が設けられている。
【００２５】
主制御処理部１１は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装されたメイン基板（制御基板）１２０と、このメイン基板１２０を収納する後述の基板ケース１００とを備えて構成されており、このＣＰＵがＲＯＭに格納された各種プログラムやデータを読み込んで実行することにより、遊技に関する主要な処理が行われる。なお、基板ケース１００は遊技盤３の裏面に支持部材等を介して設けられている。
【００２６】
副制御処理部を構成する演出制御処理部１２ａ、特別図柄表示制御部１２ｂ、ランプ制御処理部１２ｃ、払出制御処理部１２ｅ、および普通図柄表示制御部１２ｆは、主制御処理部１１からの指令（コマンド）を受けて、演出表示装置３４やスピーカ２０、その他の演出装置（ＬＥＤ装置など）などの制御を行う装置である。この副制御処理部を構成する各装置も、遊技盤３の裏面に支持部材等を介して設けられている。
【００２７】
演出制御処理部１２ａは遊技の演出に関する制御を行うためのものであり、特別図柄表示制御部１２ｂは主制御処理部１１で決定した特別図柄に関する表示の制御を行うためのものである。普通図柄表示制御部１２ｆは普通図柄に関する表示の制御を行うためのものであり、ランプ制御処理部１２ｃは主制御処理部１１からコマンドを受けて各種ランプや電飾の点灯制御を行うものである。また、払出制御処理部１２ｅは、ＣＲユニットからの信号を受けて遊技球を遊技者に貸し出すように賞球払出装置１４を制御する他、主制御処理部１１からの払出指令を受けて、所定個数の賞球を遊技者に対して払い出すように賞球払出装置１４を制御するためのものである。さらに、発射制御処理部１３は、ハンドル７の回動量に応じて発射装置９に対する作動の制御を行う装置である。
【００２８】
次に、本発明の第１の実施の形態例に係る基板ケース１００の詳細な構造について図４〜図１２を参照しながら説明すると、基板ケース１００は、矩形箱状の透明な上ケース（第１ケース）１０１と、矩形箱状の透明な下ケース（第２ケース）１３０とを備えている。そして、上ケース１０１と下ケース１３０の内部に収納空間が形成されており、この収納空間にＣＰＵ、ＲＯＭ、ＲＡＭ等が実装された前述のメイン基板１２０が収納されている。
【００２９】
上ケース１０１と下ケース１３０はスライド嵌合によって重ね合わされるようになっており、上ケース１０１の長手方向の一方の側部（図５における右側の側部）には、後述するＩＣタグユニット（シール貼付ユニット）１０５の一部を覆う上側タグカバー（第１被覆部）１１１が形成されている。また、下ケース１３０の同じく長手方向の一方の側部（図５における右側の側部）には、ＩＣタグユニット１０５の一部を覆う下側タグカバー（第２被覆部）１３１が形成されている。そして、上ケース１０１を下ケース１３０に重ね合わせると、上側タグカバー１１１と下側タグカバー１３１の間の内部空間ＳＰにＩＣタグユニット１０５が配置された状態となる（図７，８等参照）。
【００３０】
そして、詳しくは後述するが、図１１等に示すように、ＩＣタグユニット１０５のほぼ全体に亘り、封印シール１０８が貼り付けられている。この封印シール１０８は裏面に粘着層が形成された矩形状のベースシートを備えた公知のものであり、粘着層にはＩＣタグ１０８ａが埋め込まれている。なお、ＩＣタグ１０８ａは、ベースシートの対角線に沿って延びる長尺状のアンテナと、アンテナの中央付近に配置されたＩＣチップとを備えており、ＩＣチップに記憶された固有の識別情報がリーダー機によって読み取り可能となっている。また、封印シール１０８のベースシートは手指を用いて簡単に破ることが可能であり、ベースシートを破ることによってＩＣタグ１０８ａも同時に切断される。
【００３１】
上ケース１０１に形成された上側タグカバー１１１は、長方形状の天板１１２と、この天板１１２の３辺を囲うように設けられた側板１１３ａ，ｂ，ｃとを備えて成り（図１３参照）、下ケース１３０に形成された下側タグカバー１３１は、長方形状の底板１３２と、この底板１３２の４辺を囲うように設けられた側板１３３ａ，ｂ，ｃ，ｄとを備えて成る（図１４参照）ものである。そして、上側タグカバー１１１と下側タグカバー１３１とを重ね合わせると、その内部に直方体形状の空間ＳＰが形成されるようになっている。この内部空間ＳＰは、後述するＩＣタグユニット１０５を収容するためのものである。
【００３２】
また、上側タグカバー１１１の側板１１３ａおよび側板１１３ｃの内面には、凹部が形成されている。この凹部は、後述するＩＣタグユニット１０５の爪部材１５２ａ，１５２ｂを引っ掛けるためのものであって、側板１３３ａに形成された凹部が引っ掛け部１１５ａであり、側板１３３ｂに形成された凹部が引っ掛け部１１５ｂである（図９，２０参照）。
【００３３】
また、下側タグカバー１３１の側板１３３ａには突起１３５ｃ，１３５ｄが設けられ、側板１３３ｃには突起１３５ａ，１３５ｂが設けられている（図１４，１５参照）。これらの突起１３５ａ〜ｄは、ＩＣタグユニット１０５を下側タグカバー１３１内にしっかりと保持するためのものである。これら突起１３５ａ〜ｄによって、下側タグカバー１３１の側板１３３ａとＩＣタグユニット１０５との間、および下側タグカバー１３１の側板１３３ｃとＩＣタグユニット１０５との間にはそれぞれ隙間ＣＬが形成されるが、この隙間ＣＬには、図９に示すように、上側タグカバー１１１の側板１１３ａおよび側板１１３ｃがそれぞれ入り込むようになっている。そして、詳しくは後述するが、上ケース１０１を下ケース１３０に対してスライドさせると、上側タグカバー１１１の側板１１３ａ，１１３ｃがこの隙間ＣＬ内を移動する。
【００３４】
また、本実施形態では、上ケース１０１の端部（図５の左側端部）に２本のかしめネジ（かしめ部材）１６０ａ，１６０ｂを有するかしめネジユニット１６０が設けられ、下ケース１３０の端部（図５の左側端部）であってかしめユニット１６０と向かい合う位置に、かしめネジ１６０ａ，ｂと締結するかしめネジ締結部１７０が設けられている。かしめネジ締結部１７０には、かしめネジ１６０ａがねじ込まれる第１ネジ締結部１７０ａと、かしめネジ１６０ｂがねじ込まれる第２ネジ締結部１７０ｂとが設けられている。かしめネジ１６０ａ，１６０ｂは、一度かしめネジ締結部１７０とネジ締結されると、破壊を伴わなければそのネジ締結を解除することができないような構成となっており、例えば、ワンウェイネジ等の公知の構成のものが用いられている。なお、本実施形態は、かしめネジが２本設けられていることにより、基板ケース１００の封印を２回行うことができるものである。
【００３５】
次に、ＩＣタグユニット１０５について説明する。ＩＣタグユニット１０５は、図１０〜１２に示すように、封印シール１０８が外面に貼り付けられるタグケース（ケース本体）１４０と、このタグケース１４０に出没自在に収納されるタグカッター（カッター部材）１５０と、このタグカッター１５０をタグケース１４０に没入する方向に常時付勢するコイル状のバネ１４３ａ，１４３ｂとを有して構成されている。
【００３６】
タグカッター１５０は、細長い矩形プレート状を成し、その１つの長辺には先端が尖った鋭利な刃部１５１が形成され、２つの短辺にはそれぞれ外方に張り出した爪部材１５２ａ，１５２ｂが設けられている。爪部材１５２ａ，１５２ｂは、可撓性材料から成り、外側から押圧されると、互いに近づく方向（図２０（ｂ）のＷ方向）に撓んで変形するが、外力から開放されると、再び外方に張り出した状態に戻るような弾性特性を有している。
【００３７】
さらに、タグカッター１５０の刃部１５１の両端部には、細長い切込み１５３ａ，１５３ｂが設けられている。これら切込み１５３ａ，１５３ｂは、タグカッター１５０のスライド移動に伴って、後述するタグケースのガイドプレート１４４ａ，１４４ｂが入り込むためのものである。切込み１５３ａ，１５３ｂ内にガイドプレート１４４ａ，１４４ｂが入り込む（図２０（ｂ）参照）と、タグカッター１５０は、その長手方向（スライド方向と直交する方向、つまり、図５の上下方向）への移動が規制されるようになる。つまり、切込み１５３ａ，１５３ｂとガイドプレート１４４ａ，１４４ｂとで、タグカッター１５０のスライド動作をガイドしているのである。
【００３８】
タグケース１４０は、天板１４０ａ、底板１４０ｂ、側板１４０ｃ〜ｆで囲まれた直方体形状から成り、側板１４０ｄには、タグカッター１５０を受け入れるための挿入開口１４３が設けられ（図１１（ｃ）参照）、側板１４０ｃには、タグカッター１５０の刃部１５１が出没するためのスリット１４１、および細長い板状のガイドプレート１４４ａ，１４４ｂが設けられている。また、側板１４０ｅには矩形状に長さＬ１の寸法で切り欠かれた係止孔１４２ａが、側板１４０ｆには同じく矩形状に長さＬ１の寸法で切り欠かれた係止孔１４２ｂがそれぞれ設けられている。これら係止孔１４２ａ，１４２ｂは、タグカッター１５０の爪部材１５２ａ，１５２ｂの先端部がそれぞれ入り込むための孔である。
【００３９】
図１２に示すように、タグカッター１５０がタグケース１４０内に収納された状態で、爪部材１５２ａは、その先端部が係止孔１４２ａから突出するようにして係止孔１４２ａ内に入り込んでいる。同様に、爪部材１５２ｂは、その先端部が係止孔１４２ｂから突出するようにして係止孔１４２ｂ内に入り込んでいる。そして、バネ１４３ａ，１４３ｂの図中Ｚ方向への付勢力によって、爪部材１５２ａは係止孔１４２ａの縁部１４２ａ’’と、爪部材１５２ｂは係止孔１４２ｂの縁部１４２ｂ’’とそれぞれ当接している。そのため、常態では、タグカッター１５０は、その刃部１５１がスリット１４１から露出することなく、タグケース１４０内に納まっている。
【００４０】
そして、爪部材１５２ａは、係止孔１４２ａ内に入り込んだ状態で、長さＬ１の係止孔１４２ａ内をタグカッター１５０の出没方向（図１２の左右方向）に対して移動することが可能である。つまり、爪部材１５２ａのうち係止孔１４２ａから突出している部分の大きさがＬ１より小さくなっており、係止孔１４２ａ内の移動が許容されているのである。爪部材１５２ｂについても同様に、係止孔１４２ｂ内に入り込んだ状態で、長さＬ１の係止孔１４２ｂ内をタグカッター１５０の出没方向（図１２の左右方向）に対して移動が可能である。
【００４１】
このＩＣタグユニット１０５には、封印シール１０８が、スリット１４１を覆うようにして、天板１４０ａ、底板１４０ｂ、および側板１４０ｃに跨って貼り付けられる。そのため、スリット１４１からタグカッター１５０の刃部１５１が突出すると、刃部１５１が封印シール１０８を破り、その際に、封印シール１０８に内蔵されているＩＣタグ１０８ａも破壊されることとなる。なお、封印シール１０８を所定の位置に貼り付けると、ちょうどＩＣタグ１０８ａがスリット１４１部分に位置するように工夫がなされており、ＩＣタグ１０８ａは、タグカッター１５０によって確実に破壊されるようになっている。
【００４２】
次に、上記のように構成された基板ケース１００を組み立てて封印するまでの手順について、図１３〜図１８を参照しながら説明する。まず、上ケース１０１の裏面にメイン基板１２０をビス止めする（図１３参照）。次に、外面に封印シール１０８が貼り付けられたＩＣタグユニット１０５を、下側タグカバー１３１の突起１３５ａ〜ｄの間に手指で押し込むようにして装着する（図１４参照）。このとき、タグカッター１５０は、タグケース１４０内に常時没入しているので、手指でＩＣタグユニット１０５を触っても怪我する心配はない。
【００４３】
なお、ＩＣタグユニット１０５を下側タグカバー１３１に装着した状態では、図１５および図１６に示すように、タグケース１４０の側板１４０ｅと下側タグカバー１３１の側板１３３ａとの間に隙間ＣＬが生じ、タグケース１４０の側板１４０ｆと下側タグカバー１３１の側板１３３ｃとの間に隙間ＣＬが生じる。そして、上ケース１０１を下ケース１３０に対して重ね合わせる方向（図１７のＸ方向）にスライドさせると、この隙間ＣＬに上側タグカバー１１１の側板１１３ａ，１１３ｃが入り込むようになる。
【００４４】
そして、図１８に示すように、上ケース１０１と下ケース１３０がスライド嵌合により重なり合った状態で、かしめネジ１６０ａ，１６０ｂの何れかをかしめネジ締結部１７０にねじ込むと両ケース１０１，１３０の封印が完了する。この状態では、ＩＣタグユニット１０５は、上側タグカバー１１１と下側タグカバー１３１で覆われて、外部からアクセスできないようになる。
【００４５】
このように、両ケース１０１，１３０の封印が完了すると、封印シール１０８は、上ケース１０１の上側タグカバー１１１と下ケース１３０の下側タグカバー１３１とにより保護されており、不正に封印シール１０８を剥がすことは困難である。しかも、かしめネジ１６０ａ，ｂによっても基板ケース１００のかしめ封印がなされているので、一度封印された基板ケース１００を、どこも破壊せずに上ケース１０１と下ケース１３０とに分解するのは不可能である。
【００４６】
なお、封印が完了した状態の基板ケース１００に対して、リーダー機を近付けることにより、封印シール１０８のＩＣタグ１０８ａに記憶されている識別情報をリーダー機で読取ることができる。
【００４７】
続いて、基板ケース１００を開封して両ケース１０１，１３０を分解するまでの手順について、図１９〜図２２を参照しながら説明する。なお、図２０（ａ），（ｂ），（ｃ）は、何れも図６のＣ−Ｃ断面を示しており、図２１（ａ），（ｂ），（ｃ）は、何れも図５のＢ−Ｂ断面を示している。また、図２０の（ａ）と図２１の（ａ）とは同じ状態を示しており、同様に、図２０（ｂ）と図２１（ｂ）、図２０（ｃ）と図２１（ｃ）とは、それぞれ同じ状態を示している。
【００４８】
上ケース１０１を下ケース１３０から取り外すためには、まず、基板ケース１００の封印を開封する必要がある。図１９に示すように、かしめネジ１６０ａ，ｂのうち、かしめ固定に用いられた方をニッパー等で破壊すると封印が開封される。なお、図１９では、かしめネジ１６０ａを切除して開封した様子が示されている。封印が開封されたら、上ケース１０１を下ケース１３０から分離する方向（図１９のＹ方向）にスライドさせる。このとき、上ケース１０１を図１９のＹ方向へスライドさせていくと、封印シール１０８がタグカッター１５０によって切断される。これについて、以下、詳しく説明する。
【００４９】
図２０（ａ）および図２１（ａ）は、上ケース１０１をスライドさせる前の状態である。この状態では、タグカッター１５０は、バネ１４３ａ，１４３ｂの付勢力により、タグケース１４０内に没入した状態である。この状態から上ケース１０１を徐々にスライドさせていくと、タグカッター１５０の爪部材１５２ａ，１５２ｂが上側タグカバー１１１に形成されている引っ掛け部１１５ａ，１１５ｂに引っ掛かりながら、バネ１４３ａ，１４３ｂの付勢力に抗して、タグカッター１５０がタグケース１４０から引き出されていく。このとき、ガイドプレート１４４ａ，１４４ｂが切込み１５３ａ，１５３ｂ内に入り込みながら、タグカッター１５０のスライド動作をガイドする。そうすると、タグカッター１５０の刃部１５１がタグケース１４０のスリット１４１から露出する。
【００５０】
このとき、スリット１４１を覆うようにして封印シール１０８が貼り付けられているから、タグカッター１５０は、封印シール１０８を切断しながらタグケース１４０から突き出てくることになる。そして、図２０（ｂ）および図２１（ｂ）の状態まで上ケース１０１をスライドさせると、タグカッター１５０は最もタグケース１４０から突き出た状態となり、封印シール１０８は、確実に切断されることとなる。つまり、図２０（ｂ）および図２１（ｂ）は、タグカッター１５０が最もタグケース１４０から引き出された状態である。
【００５１】
ここで、図２０（ａ）から（ｂ）へと上ケース１０１をスライドさせる過程におけるタグカッター１５０の爪部材１５２ａ，１５２ｂの動作について見てみると、爪部材１５２ａ，１５２ｂは、引っ掛け部１１５ａ，１１５ｂに引っ掛けられながらタグケース１４０の係止孔１４２ａ，１４２ｂ内を図中Ｙ方向に移動していき、上ケース１０１を図２０（ｂ）の位置までスライドさせると、爪部材１５２ａ，１５２ｂは係止孔１４２ａ，１４２ｂの縁部１４２ａ’，１４２ｂ’にそれぞれ当接する。ここから、さらに上ケース１０１をＹ方向にスライドさせると、爪部材１５２ａ，１５２ｂは、引っ掛け部１１５ａ，１１５ｂにそれぞれ引っ掛けられたまま縁部１４２ａ’，１４２ｂ’と当接しながら図中Ｗの方向に変形して係止孔１４２ａ，１４２ｂの内部にそれぞれ没入していく。
【００５２】
そして、さらに上ケース１０１をＹ方向にスライドさせていくと、爪部材１５２ａ，１５２ｂが係止孔１４２ａ，１４２ｂの内部にそれぞれ完全に没入する。そうすると、爪部材１５２ａ，１５２ｂと引っ掛かり部１１５ａ，１１５ｂとの引っ掛かりは解除され、バネ１４３ａ，１４３ｂの付勢力により、タグカッター１５０はＺ方向に移動してタグケース１４０内に没入する状態となる。この状態を示したのが、図２０（ｃ）および図２１（ｃ）である。この状態では、上ケース１０１は爪部材１５２ａ，１５２ｂと係合していないので、さらにＹ方向に上ケース１０１をスライドさせることにより、上ケース１０１を下ケース１３０から分離することができる。
【００５３】
ここで、図２０（ａ）〜（ｃ）、図２１（ａ）〜（ｃ）の一連の動作から明らかなように、上ケース１０１を手で掴んでスライドさせるだけで封印シール１０８を切断することができる。そのため、封印シール１０８を別途切断した後に、両ケース１０１，１３０を分解する必要はない。よって、両ケース１０１，１３０の開封作業が簡単である。しかも、両ケース１０１，１３０を分解する際に作業者の手指がタグカッター１５０の刃部１５１に触れることはない。さらに、タグカッター１５０の刃部１５１が露出しているのは、上ケース１０１を下ケース１３０から取り外すまでの間であり、上ケース１０１を下ケース１３０から取り外したときには、既にタグカッター１５０の刃部１５１は、バネ１４３ａ，１４３ｂによってスリット１４１内に納められている。よって、図２２に示すように、下ケース１３０の下側タグカバー１３１からＩＣタグユニット１０５を取り外す際に、手指を怪我する心配はないのである。
【００５４】
以上、説明したように、本実施形態例に係る基板ケース１００では、かしめネジ１６０ａ，１６０ｂが破壊されているか否かによって、開封されたことが目視確認できるうえ、上ケース１０１を下ケース１３０から分離すると、タグカッター１５０によって封印シール１０８が切断されるため、リーダー機を近付けても、ＩＣタグ１０８ａに記憶されている識別情報を読取ることができなくなり、それによって不正行為がなされたことを確実に発見することができる。
【００５５】
つまり、不正に基板ケース１００を開封して、メイン基板１２０のＲＯＭ等を交換した場合には、必ずかしめネジ１６０ａ，１６０ｂが破壊された痕跡が残るうえ、封印シール１０８が破れてＩＣタグ１０８ａが破壊する。よって、本実施形態によれば、目視とリーダー機の両方により確実に基板ケース１００の封印が解除されたことを発見することができるのである。
【００５６】
しかも、特筆すべきは、鋭利な刃物であるタグカッター１５０は常時タグケース１４０内に収納された状態に保持されており、上ケース１０１を下ケース１３０に対してスライド動作させるときにだけタグケース１４０のスリット１４１から刃部１５１を覗かせるように構成されているため、刃部１５１に手指が触れることはまずない。よって、基板ケース１００を組み立てる過程、および分解する過程において、作業者が怪我をする心配がない。つまり、本実施形態は、不正行為の発見と安全性を兼ね備えたものと言えるものである。
【００５７】
次に、本発明の第２の実施の形態例に係る基板ケース２００の詳細な構造について図２３〜図３１を参照しながら説明すると、基板ケース２００は、矩形箱状の透明な上ケース（第１ケース）２０１と、矩形箱状の透明な下ケース（第２ケース）２３０とを備えている。そして、上ケース２０１と下ケース２３０の内部に収納空間が形成されており、この収納空間にＣＰＵ、ＲＯＭ、ＲＡＭ等が実装された前述のメイン基板２２０が収納されている。
【００５８】
上ケース２０１と下ケース２３０はスライド嵌合によって重ね合わされるようになっており、上ケース２０１の長手方向の一方の側部（図２４における右側の側部）には、後述するＩＣタグユニット（シール貼付ユニット）２０５の一部を覆う上側タグカバー（第１被覆部）２１１が形成されている。また、下ケース２３０の同じく長手方向の一方の側部（図５における右側の側部）には、ＩＣタグユニット２０５の一部を覆う下側タグカバー（第２被覆部）２３１が形成されている。そして、上ケース２０１を下ケース２３０に重ね合わせると、上側タグカバー２１１と下側タグカバー２３１の間の内部空間ＳＰ１にＩＣタグユニット２０５が配置された状態となる（図２６，２７等参照）。
【００５９】
そして、詳しくは後述するが、図３０等に示すように、ＩＣタグユニット２０５のほぼ全体に亘り、封印シール２０８が貼り付けられている。この封印シール２０８は裏面に粘着層が形成された矩形状のベースシートを備えた公知のものであり、粘着層にはＩＣタグ２０８ａが埋め込まれている。なお、ＩＣタグ２０８ａは、ベースシートの対角線に沿って延びる長尺状のアンテナと、アンテナの中央付近に配置されたＩＣチップとを備えており、ＩＣチップに記憶された固有の識別情報がリーダー機によって読み取り可能となっている。また、封印シール２０８のベースシートは手指を用いて簡単に破ることが可能であり、ベースシートを破ることによってＩＣタグ２０８ａも同時に切断される。
【００６０】
上ケース２０１に形成された上側タグカバー２１１は、長方形状の天板２１２と、この天板２１２の３辺を囲うように設けられた側板２１３ａ，ｂ，ｃとを備えて成り（図３２参照）、下ケース２３０に形成された下側タグカバー２３１は、長方形状の底板２３２と、この底板２３２の４辺を囲うように設けられた側板２３３ａ，ｂ，ｃ，ｄとを備えて成る（図３３参照）ものである。そして、上側タグカバー２１１と下側タグカバー２３１とを重ね合わせると、その内部に直方体形状の空間ＳＰ１が形成されるようになっている。この内部空間ＳＰ１は、後述するＩＣタグユニット２０５を収容するためのものである。
【００６１】
また、上側タグカバー２１１の側板２１３ａおよび側板２１３ｃの内面には、凹部が形成されている。この凹部は、後述するＩＣタグユニット２０５の爪部材２５２ａ，２５２ｂを引っ掛けるためのものであって、側板２３３ａに形成された凹部が引っ掛け部２１５ａであり、側板２３３ｂに形成された凹部が引っ掛け部２１５ｂである（図２８，３９参照）。
【００６２】
また、下側タグカバー２３１の側板２３３ａには突起２３５ｃ，２３５ｄが設けられ、側板２３３ｃには突起２３５ａ，２３５ｂが設けられている（図３３，３４参照）。これらの突起２３５ａ〜ｄは、ＩＣタグユニット２０５を下側タグカバー２３１内にしっかりと保持するためのものである。これら突起２３５ａ〜ｄによって、下側タグカバー２３１の側板２３３ａとＩＣタグユニット２０５との間、および下側タグカバー２３１の側板２３３ｃとＩＣタグユニット２０５との間にはそれぞれ隙間ＣＬ１が形成されるが、この隙間ＣＬ１には、図２８に示すように、上側タグカバー２１１の側板２１３ａおよび側板２１３ｃがそれぞれ入り込むようになっている。そして、詳しくは後述するが、上ケース２０１を下ケース２３０に対してスライドさせると、上側タグカバー２１１の側板２１３ａ，２１３ｃがこの隙間ＣＬ１内を移動する。
【００６３】
また、本実施形態では、上ケース２０１の端部（図２４の左側端部）に２本のかしめネジ（かしめ部材）２６０ａ，２６０ｂを有するかしめネジユニット２６０が設けられ、下ケース２３０の端部（図２４の左側端部）であってかしめユニット２６０と向かい合う位置に、かしめネジ２６０ａ，ｂと締結するかしめネジ締結部２７０が設けられている。かしめネジ締結部２７０には、かしめネジ２６０ａがねじ込まれる第１ネジ締結部２７０ａと、かしめネジ２６０ｂがねじ込まれる第２ネジ締結部２７０ｂとが設けられている。かしめネジ２６０ａ，２６０ｂは、一度かしめネジ締結部２７０とネジ締結されると、破壊を伴わなければそのネジ締結を解除することができないような構成となっており、例えば、ワンウェイネジ等の公知の構成のものが用いられている。なお、本実施形態は、かしめネジが２本設けられていることにより、基板ケース２００の封印を２回行うことができるものである。
【００６４】
次に、ＩＣタグユニット２０５について説明する。ＩＣタグユニット２０５は、図２９〜３１に示すように、封印シール２０８が外面に貼り付けられるタグケース（ケース本体）２４０と、このタグケース２４０に出没自在に収納されるタグカッター（カッター部材）２５０とを有して構成されている。
【００６５】
タグカッター２５０は、細長い矩形プレート状を成し、その１つの長辺には先端が尖った鋭利な刃部２５１が形成され、２つの短辺にはそれぞれ外方に張り出した爪部材２５２ａ，２５２ｂが設けられている。爪部材２５２ａ，２５２ｂは、可撓性材料から成り、外側から押圧されると、互いに近づく方向（図３９（ｂ）のＷ１方向）に撓んで変形するが、外力から開放されると、再び外方に張り出した状態に戻るような弾性特性を有している。
【００６６】
さらに、タグカッター２５０の刃部２５１の両端部には、細長い切込み２５３ａ，２５３ｂが設けられている。これら切込み２５３ａ，２５３ｂは、タグカッター２５０のスライド移動に伴って、後述するタグケースのガイドプレート２４４ａ，２４４ｂが入り込むためのものである。切込み２５３ａ，２５３ｂ内にガイドプレート２４４ａ，２４４ｂが入り込む（図３９（ｂ）参照）と、タグカッター２５０は、その長手方向（スライド方向と直交する方向、つまり、図２４の上下方向）への移動が規制されるようになる。つまり、切込み２５３ａ，２５３ｂとガイドプレート２４４ａ，２４４ｂとで、タグカッター２５０のスライド動作をガイドしているのである。
【００６７】
タグケース２４０は、天板２４０ａ、底板２４０ｂ、側板２４０ｃ〜ｆで囲まれた直方体形状から成り、側板２４０ｄには、タグカッター２５０を受け入れるための挿入開口２４３が設けられ（図３０（ｃ）参照）、側板２４０ｃには、タグカッター２５０の刃部２５１が出没するためのスリット２４１、および細長い板状のガイドプレート２４４ａ，２４４ｂが設けられている。また、側板２４０ｅには矩形状に長さＬ２の寸法で切り欠かれた係止孔２４２ａが、側板２４０ｆには同じく矩形状に長さＬ２の寸法で切り欠かれた係止孔２４２ｂがそれぞれ設けられている。これら係止孔２４２ａ，２４２ｂは、タグカッター２５０の爪部材２５２ａ，２５２ｂの先端部がそれぞれ入り込むための孔である。
【００６８】
図３１に示すように、タグカッター２５０がタグケース２４０内に収納された状態で、爪部材２５２ａは、その先端部が係止孔２４２ａから突出するようにして係止孔２４２ａ内に入り込んでいる。同様に、爪部材２５２ｂは、その先端部が係止孔２４２ｂから突出するようにして係止孔２４２ｂ内に入り込んでいる。そして、タグカッター２５０は、タグケース２４０内に収納された状態において、刃部２５１の先端がスリット２４１より距離Ｌ３だけ内側に位置するように取り付けられている。具体的には、距離Ｌ３は約２ｍｍであり、仮に爪部材２５２ａ，２５２ｂがＷ１方向に約１ｍｍ撓んでも、タグカッター２５０が約０．３ｍｍしかスライド移動しないようにタグカッター２５０は形成されている。そのため、常態では、タグカッター２５０は、その刃部２５１がスリット２４１から露出することなく、タグケース２４０内に納まっている。
【００６９】
そして、爪部材２５２ａは、係止孔２４２ａ内に入り込んだ状態で、長さＬ２の係止孔２４２ａ内をタグカッター２５０の出没方向（図３１の左右方向）に対して移動することが可能である。つまり、爪部材２５２ａのうち係止孔２４２ａから突出している部分の大きさがＬ２より小さくなっており、係止孔２４２ａ内の移動が許容されているのである。爪部材２５２ｂについても同様に、係止孔２４２ｂ内に入り込んだ状態で、長さＬ２の係止孔２４２ｂ内をタグカッター２５０の出没方向（図３１の左右方向）に対して移動が可能である。
【００７０】
このＩＣタグユニット２０５には、封印シール２０８がスリット２４１を覆うようにして、天板２４０ａ、底板２４０ｂ、および側板２４０ｃに跨って貼り付けられる。そのため、スリット２４１からタグカッター２５０の刃部２５１が突出すると、刃部２５１が封印シール２０８を破り、その際に、封印シール２０８に内蔵されているＩＣタグ２０８ａも破壊されることとなる。なお、封印シール２０８を所定の位置に貼り付けると、ちょうどＩＣタグ２０８ａがスリット２４１部分に位置するように工夫がなされており、ＩＣタグ２０８ａは、タグカッター２５０によって確実に破壊されるようになっている。
【００７１】
次に、上記のように構成された基板ケース２００を組み立てて封印するまでの手順について、図３２〜図３７を参照しながら説明する。まず、上ケース２０１の裏面にメイン基板２２０をビス止めする（図３２参照）。次に、外面に封印シール２０８が貼り付けられたＩＣタグユニット２０５を、下側タグカバー２３１の突起２３５ａ〜ｄの間に手指で押し込むようにして装着する（図３３参照）。このとき、タグカッター２５０は、タグケース２４０内に常時没入しているので、手指でＩＣタグユニット２０５を触っても怪我する心配はない。
【００７２】
なお、ＩＣタグユニット２０５を下側タグカバー２３１に装着した状態では、図３４および図３５に示すように、タグケース２４０の側板２４０ｅと下側タグカバー２３１の側板２３３ａとの間に隙間ＣＬ１が生じ、タグケース２４０の側板２４０ｆと下側タグカバー２３１の側板２３３ｃとの間に隙間ＣＬ１が生じる。そして、上ケース２０１を下ケース２３０に対して重ね合わせる方向（図３６のＸ１方向）にスライドさせると、この隙間ＣＬ１に上側タグカバー２１１の側板２１３ａ，２１３ｃが入り込むようになる。
【００７３】
そして、図３７に示すように、上ケース２０１と下ケース２３０がスライド嵌合により重なり合った状態で、かしめネジ２６０ａ，２６０ｂの何れかをかしめネジ締結部２７０にねじ込むと両ケース２０１，２３０の封印が完了する。この状態では、ＩＣタグユニット２０５は、上側タグカバー２１１と下側タグカバー２３１で覆われて、外部からアクセスできないようになる。
【００７４】
このように、両ケース２０１，２３０の封印が完了すると、封印シール２０８は、上ケース２０１の上側タグカバー２１１と下ケース２３０の下側タグカバー２３１とにより保護されており、不正に封印シール２０８を剥がすことは困難である。しかも、かしめネジ２６０ａ，ｂによっても基板ケース２００のかしめ封印がなされているので、一度封印された基板ケース２００を、どこも破壊せずに上ケース２０１と下ケース２３０とに分解するのは不可能である。
【００７５】
なお、封印が完了した状態の基板ケース２００に対して、リーダー機を近付けることにより、封印シール２０８のＩＣタグ２０８ａに記憶されている識別情報をリーダー機で読取ることができる。
【００７６】
続いて、基板ケース２００を開封して両ケース２０１，２３０を分解するまでの手順について、図３８〜図４１を参照しながら説明する。なお、図３９（ａ），（ｂ），（ｃ）は、何れも図２５のＣ１−Ｃ１断面を示しており、図４０（ａ），（ｂ），（ｃ）は、何れも図２４のＢ１−Ｂ１断面を示している。また、図３９の（ａ）と図４０の（ａ）とは同じ状態を示しており、同様に、図３９（ｂ）と図４０（ｂ）、図３９（ｃ）と図４０（ｃ）とは、それぞれ同じ状態を示している。
【００７７】
上ケース２０１を下ケース２３０から取り外すためには、まず、基板ケース２００の封印を開封する必要がある。図３８に示すように、かしめネジ２６０ａ，ｂのうち、かしめ固定に用いられた方をニッパー等で破壊すると封印が開封される。なお、図３８では、かしめネジ２６０ａを切除して開封した様子が示されている。封印が開封されたら、上ケース２０１を下ケース２３０から分離する方向（図３８のＹ１方向）にスライドさせる。このとき、上ケース２０１を図３８のＹ１方向へスライドさせていくと、封印シール２０８がタグカッター２５０によって切断される。これについて、以下、詳しく説明する。
【００７８】
図３９（ａ）および図４０（ａ）は、上ケース２０１をスライドさせる前の状態である。この状態では、タグカッター２５０は、タグケース２４０内に没入している。この状態から上ケース２０１を徐々にスライドさせていくと、タグカッター２５０の爪部材２５２ａ，２５２ｂが上側タグカバー２１１に形成されている引っ掛け部２１５ａ，２１５ｂに引っ掛かりながら、タグカッター２５０がタグケース２４０から引き出されていく。このとき、ガイドプレート２４４ａ，２４４ｂが切込み２５３ａ，２５３ｂ内に入り込みながら、タグカッター２５０のスライド動作をガイドする。そうすると、タグカッター２５０の刃部２５１がタグケース２４０のスリット２４１から露出する。
【００７９】
このとき、スリット２４１を覆うようにして封印シール２０８が貼り付けられているから、タグカッター２５０は、封印シール２０８を切断しながらタグケース２４０から突き出てくることになる。そして、図３９（ｂ）および図４０（ｂ）の状態まで上ケース２０１をスライドさせると、タグカッター２５０は最もタグケース２４０から突き出た状態となり、封印シール２０８は、確実に切断されることとなる。つまり、図３９（ｂ）および図４０（ｂ）は、タグカッター２５０が最もタグケース２４０から引き出された状態である。
【００８０】
ここで、図３９（ａ）から（ｂ）へと上ケース２０１をスライドさせる過程におけるタグカッター２５０の爪部材２５２ａ，２５２ｂの動作について見てみると、爪部材２５２ａ，２５２ｂは、引っ掛け部２１５ａ，２１５ｂに引っ掛けられながらタグケース２４０の係止孔２４２ａ，２４２ｂ内を図中Ｙ１方向に移動していき、上ケース２０１を図３９（ｂ）の位置までスライドさせると、爪部材２５２ａ，２５２ｂは係止孔２４２ａ，２４２ｂの縁部２４２ａ’，２４２ｂ’にそれぞれ当接する。ここから、さらに上ケース２０１をＹ１方向にスライドさせると、爪部材２５２ａ，２５２ｂは、引っ掛け部２１５ａ，２１５ｂにそれぞれ引っ掛けられたまま縁部２４２ａ’，２４２ｂ’と当接しながら図中Ｗ１の方向に変形して係止孔２４２ａ，２４２ｂの内部にそれぞれ没入していく。
【００８１】
そして、さらに上ケース２０１をＹ１方向にスライドさせていくと、爪部材２５２ａ，２５２ｂが係止孔２４２ａ，２４２ｂの内部にそれぞれ完全に没入する。そうすると、爪部材２５２ａ，２５２ｂと引っ掛かり部２１５ａ，２１５ｂとの引っ掛かりは解除され、タグカッター２５０はその反動でＺ１方向に移動してタグケース２４０内に没入する状態となる。この状態を示したのが、図３９（ｃ）および図４０（ｃ）である。この状態では、上ケース２０１は爪部材２５２ａ，２５２ｂと係合していないので、さらにＹ１方向に上ケース２０１をスライドさせることにより、上ケース２０１を下ケース２３０から分離することができる。
【００８２】
ここで、図３９（ａ）〜（ｃ）、図４０（ａ）〜（ｃ）の一連の動作から明らかなように、上ケース２０１を手で掴んでスライドさせるだけで封印シール２０８を切断することができる。そのため、封印シール２０８を別途切断した後に、両ケース２０１，２３０を分解する必要はない。よって、両ケース２０１，２３０の開封作業が簡単である。しかも、両ケース２０１，２３０を分解する際に作業者の手指がタグカッター２５０の刃部２５１に触れることはない。さらに、タグカッター２５０の刃部２５１が露出しているのは、上ケース２０１を下ケース２３０から取り外すまでの間であり、上ケース２０１を下ケース２３０から取り外したときには、既にタグカッター２５０の刃部２５１は、スリット２４１内に納められている。よって、図４１に示すように、下ケース２３０の下側タグカバー２３１からＩＣタグユニット２０５を取り外す際に、手指を怪我する心配はないのである。
【００８３】
以上、説明したように、本実施形態例に係る基板ケース２００では、かしめネジ２６０ａ，２６０ｂが破壊されているか否かによって、開封されたことが目視確認できるうえ、上ケース２０１を下ケース２３０から分離すると、タグカッター２５０によって封印シール２０８が切断されるため、リーダー機を近付けても、ＩＣタグ２０８ａに記憶されている識別情報を読取ることができなくなり、それによって不正行為がなされたことを確実に発見することができる。
【００８４】
つまり、不正に基板ケース２００を開封して、メイン基板２２０のＲＯＭ等を交換した場合には、必ずかしめネジ２６０ａ，２６０ｂが破壊された痕跡が残るうえ、封印シール２０８が破れてＩＣタグ２０８ａが破壊する。よって、本実施形態によれば、目視とリーダー機の両方により確実に基板ケース２００の封印が解除されたことを発見することができるのである。
【００８５】
しかも、特筆すべきは、鋭利な刃物であるタグカッター２５０は常時タグケース２４０内に収納された状態に保持されており、上ケース２０１を下ケース２３０に対してスライド動作させるときにだけタグケース２４０のスリット２４１から刃部２５１を覗かせるように構成されているため、刃部２５１に手指が触れることはまずない。よって、基板ケース２００を組み立てる過程、および分解する過程において、作業者が怪我をする心配がない。つまり、本実施形態は、不正行為の発見と安全性を兼ね備えたものと言えるものである。
【００８６】
なお、上記の実施の形態例では、メイン基板１２０を収納する基板ケース１００，２００について説明したが、それ以外にも、上記した演出制御処理部１２ａ、特別図柄表示制御部１２ｂ、ランプ制御処理部１２ｃ、払出制御処理部１２ｅ、および発射制御処理部１３の制御基板を収納するケースとして用いることも可能である。
【００８７】
また、上記した実施の形態例では、本発明の基板ケース１００，２００をパチンコ機Ｐに取り付けた場合について説明したが、スロットマシン等の他の遊技機についても同様に適用可能であることは言うまでもない。
【符号の説明】
【００８８】
１００；２００  基板ケース
１０１；２０１  上ケース（第１ケース）
１０５；２０５  ＩＣタグユニット（シール貼付ユニット）
１０８；２０８  封印シール
１０８ａ；２０８ａ  ＩＣタグ
１１１；２１１  上側タグカバー（第１被覆部）
１１５ａ，ｂ；２１５ａ，ｂ  引っ掛け部
１２０；２２０  メイン基板（制御基板）
１３０；２３０  下ケース（第２ケース）
１３１；２３１  下側タグカバー（第２被覆部）
１４０；２４０  タグケース（ケース本体）
１４１；２４１  スリット
１４２ａ，ｂ；２４２ａ，ｂ  係止孔
１４２ａ’，ａ’’；２４２ａ’，ａ’’  係止孔の縁部
１４２ｂ’，ｂ’’；２４２ｂ’，ｂ’’  係止孔の縁部
１４３ａ，ｂ  バネ
１５０；２５０  タグカッター（カッター部材）
１５１；２５１  刃部
１５２ａ，ｂ；２５２ａ，ｂ  爪部材
１６０ａ，ｂ；２６０ａ，ｂ  かしめネジ（かしめ部材）
Ｐ  パチンコ機（遊技機）
ＳＰ；ＳＰ１  内部空間
【図１】
0005833349.tif 000002
【図４】
0005833349.tif 000003
【図５】
0005833349.tif 000004
【図６】
0005833349.tif 000005
【図７】
0005833349.tif 000006
【図８】
0005833349.tif 000007
【図９】
0005833349.tif 000008
【図１０】
0005833349.tif 000009
【図１１】
0005833349.tif 000010
【図１２】
0005833349.tif 000011
【図１３】
0005833349.tif 000012
【図１４】
0005833349.tif 000013
【図１５】
0005833349.tif 000014
【図１６】
0005833349.tif 000015
【図１７】
0005833349.tif 000016
【図１８】
0005833349.tif 000017
【図１９】
0005833349.tif 000018
【図２１】
0005833349.tif 000019
【図２２】
0005833349.tif 000020
【図２３】
0005833349.tif 000021
【図２４】
0005833349.tif 000022
【図２５】
0005833349.tif 000023
【図２６】
0005833349.tif 000024
【図２７】
0005833349.tif 000025
【図２９】
0005833349.tif 000026
【図３０】
0005833349.tif 000027
【図３１】
0005833349.tif 000028
【図３２】
0005833349.tif 000029
【図３３】
0005833349.tif 000030
【図３４】
0005833349.tif 000031
【図３５】
0005833349.tif 000032
【図３６】
0005833349.tif 000033
【図３７】
0005833349.tif 000034
【図３８】
0005833349.tif 000035
【図２】
0005833349.tif 000036
【図３】
0005833349.tif 000037
【図２０】
0005833349.tif 000038
【図２８】
0005833349.tif 000039
【図３９】
0005833349.tif 000040
【図４０】
0005833349.tif 000041
【図４１】
0005833349.tif 000042